(57)【要約】【課題】  内視鏡挿入部の耐久性や操作性を向上させることができ、かつ、短時間で容易に検査を行うことができる内視鏡装置を提供すること。【解決手段】  撮像手段が設けられた内視鏡挿入部１９と、この内視鏡挿入部１９を支持し、前記撮像手段から出力された撮像信号を処理する信号処理部が設けられた内視鏡本体部とを備え、前記内視鏡挿入部１９を被検体に挿入することによって前記被検体内を観察する内視鏡装置において、前記内視鏡挿入部と前記内視鏡本体部とが、円周面６２を有する挿入部側連結部５９を介して互いに回転可能に連結されており、前記挿入部側連結部５９の円周面６２の全周にわたって、前記撮像手段に電気的に接続された環状の挿入部側リング端子６４が設けられ、この挿入部側リング端子６４に、前記信号処理部に電気的に接続された挿入部側当接端子７０が当接されていることを特徴とする。【選択図】        図６
2006204582.tif 000002
【特許請求の範囲】
【請求項１】
撮像手段が設けられた内視鏡挿入部と、この内視鏡挿入部を支持し、前記撮像手段から出力された撮像信号を処理する信号処理部が設けられた内視鏡本体部とを備え、前記内視鏡挿入部を被検体に挿入することによって前記被検体内を観察する内視鏡装置において、
前記内視鏡挿入部と前記内視鏡本体部とが、円周面を有する挿入部側連結部を介して互いに回転可能に連結されており、
前記挿入部側連結部の円周面の全周にわたって、前記撮像手段に電気的に接続された環状の挿入部側リング端子が設けられ、
この挿入部側リング端子に、前記信号処理部に電気的に接続された挿入部側当接端子が当接されていることを特徴とする内視鏡装置。
【請求項２】
前記挿入部側当接端子が弾性部材からなり、この弾性部材により、前記挿入部側当接端子が前記挿入部側リング端子に向けて付勢されていることを特徴とする請求項１に記載の内視鏡装置。
【請求項３】
前記内視鏡本体部が連結される装置本体部を備えることを特徴とする請求項１または請求項２に記載の内視鏡装置。
【請求項４】
前記内視鏡本体部が、前記内視鏡挿入部の湾曲操作を行うための操作部を備えるとともに、
前記装置本体部が、前記内視鏡挿入部を湾曲させるための駆動部を備え、
前記装置本体部に、連結ケーブルの一端が連結され、
前記内視鏡本体部に、前記連結ケーブルの他端が、円周面を有するケーブル側連結部を介して互いに回転可能に連結されており、
前記ケーブル側連結部の円周面の全周にわたって、前記操作部に電気的に接続された環状のケーブル側リング端子が設けられ、
前記ケーブル側リング端子に、前記駆動部に電気的に接続されたケーブル側当接端子が当接されていることを特徴とする請求項３に記載の内視鏡装置。
【発明の詳細な説明】
【技術分野】
【０００１】
本発明は、医療用や工業用等に用いられ、内視対象を観察するための内視鏡装置に関するものである。
【背景技術】
【０００２】
近年、医療分野や工業分野などの様々な分野において、種々の内視鏡装置が利用されている。これら内視鏡装置の中には、湾曲可能な湾曲部を有する内視鏡挿入部と、この内視鏡挿入部を支持し、内視鏡挿入部の湾曲操作を行うための操作部を有する内視鏡本体部とを備えたものが知られている（例えば、特許文献１参照。）。
ここで、それら内視鏡装置を用いて検査を行う場合、被検体に挿入した状態の内視鏡挿入部を適正な位置や角度に配置するために、その内視鏡挿入部を捻る場合がある。
【特許文献１】米国特許第４９４１４５４号明細書
【発明の開示】
【発明が解決しようとする課題】
【０００３】
しかしながら、上記のような内視鏡装置では、内視鏡挿入部を捻ることによって、ねじれが生じてしまうため、その内視鏡挿入部の健全性を長期にわたって維持することが困難になるという問題がある。また、内視鏡挿入部のねじれの限界を超えて捻ることはできないため、内視鏡本体部の姿勢を維持したままでは、内視鏡挿入部の捻り可能な角度が小さくなってしまい、被検体内の様々な状況に迅速に対応することができない。さらに、上記のように内視鏡挿入部の捻り角度を大きくするために、また内視鏡挿入部に生じるねじれ応力の影響を受けて内視鏡挿入部が被検体内で動かないようにするために、内視鏡挿入部と共に内視鏡本体部を同方向に回転させる場合があるが、内視鏡本体部を回転させると、その姿勢角度が変わってしまい、操作部による湾曲操作が困難になってしまう。
【０００４】
本発明は、このような事情に鑑みてなされたものであって、内視鏡挿入部の耐久性や操作性を向上させることができ、さらに検査における利便性を向上させることができる内視鏡装置を提供することを目的とする。
【課題を解決するための手段】
【０００５】
上記課題を解決するために、本発明は以下の手段を提供する。
請求項１に係る発明は、撮像手段が設けられた内視鏡挿入部と、この内視鏡挿入部を支持し、前記撮像手段から出力された撮像信号を処理する信号処理部が設けられた内視鏡本体部とを備え、前記内視鏡挿入部を被検体に挿入することによって前記被検体内を観察する内視鏡装置において、前記内視鏡挿入部と前記内視鏡本体部とが、円周面を有する挿入部側連結部を介して互いに回転可能に連結されており、前記挿入部側連結部の円周面の全周にわたって、前記撮像手段に電気的に接続された環状の挿入部側リング端子が設けられ、この挿入部側リング端子に、前記信号処理部に電気的に接続された挿入部側当接端子が当接されていることを特徴とする。
【０００６】
この発明に係る内視鏡装置においては、内視鏡挿入部を捻ると、挿入部側連結部を介して、内視鏡挿入部が内視鏡本体部に対して回転する。このとき、挿入部側当接端子が挿入部側リング端子に当接されていることから、内視鏡挿入部が回転しても、挿入部側当接端子と挿入部側リング端子とを介して、撮像手段と信号処理部との電気的な接続状態が維持される。
これにより、内視鏡挿入部を捻っても、ねじれの発生が防止され、また、ねじれが発生したとしても、直ぐに解消することができる。
また、内視鏡挿入部の捻り角度が規制されないため、その捻り可能な角度を大きくすることができる。
さらに、内視鏡挿入部を捻っても、内視鏡本体部の姿勢を維持することができるため、湾曲操作を容易にすることができる。
【０００７】
請求項２に係る発明は、請求項１に記載の内視鏡装置において、前記挿入部側当接端子が弾性部材からなり、この弾性部材により、前記挿入部側当接端子が前記挿入部側リング端子に向けて付勢されていることを特徴とする。
この発明に係る内視鏡装置においては、挿入部側当接端子が挿入部側リング端子に向けて付勢されているため、挿入部側当接端子が挿入部側リング端子を押圧した状態になる。
これにより、内視鏡挿入部を捻っても、挿入部側当接端子と挿入部側リング端子との接触状態を確実に維持することができ、装置の信頼性を向上させることができる。
【０００８】
請求項３に係る発明は、請求項１または請求項２に記載の内視鏡装置において、前記内視鏡本体部が連結される装置本体部を備えることを特徴とする。
この発明に係る内視鏡装置においては、内視鏡本体部が装置本体部に連結されて、種々の検査が行われる。
【０００９】
請求項４に係る発明は、請求項３に記載の内視鏡装置において、前記内視鏡本体部が、前記内視鏡挿入部の湾曲操作を行うための操作部を備えるとともに、前記装置本体部が、前記内視鏡挿入部を湾曲させるための駆動部を備え、前記装置本体部に、連結ケーブルの一端が連結され、前記内視鏡本体部に、前記連結ケーブルの他端が、円周面を有するケーブル側連結部を介して互いに回転可能に連結されており、前記ケーブル側連結部の円周面の全周にわたって、前記操作部に電気的に接続された環状のケーブル側リング端子が設けられ、前記ケーブル側リング端子に、前記駆動部に電気的に接続されたケーブル側当接端子が当接されていることを特徴とする。
【００１０】
この発明に係る内視鏡装置においては、連結ケーブルを介して内視鏡本体部と装置本体部とが連結され、この連結された状態で操作部を操作すると、駆動部によって内視鏡挿入部が湾曲させられて、その先端が所望の方向に向けられる。そして、ケーブル側当接端子がケーブル側リング端子に当接されていることから、連結ケーブルが回転しても、ケーブル側当接端子とケーブル側リング端子とを介して、操作部と駆動部との電気的な接続状態が維持される。
これにより、連結ケーブルのねじれが防止され、また、ねじれが発生したとしても、直ぐに解消することができる。そのため、ねじれた連結ケーブルによって検査が邪魔されることなく、内視鏡本体部を無理のない姿勢で保持することができ、操作性を一層向上させることができる。また、連結ケーブルの耐久性を向上させることができる。
【発明の効果】
【００１１】
本発明によれば、内視鏡挿入部を捻っても、ねじれの発生が防止されることから、内視鏡挿入部の耐久性や操作性を向上させることができ、迅速かつ容易に検査を行うことができる。
【発明を実施するための最良の形態】
【００１２】
（実施例１）
以下、本発明の第１実施例における内視鏡装置について、図面を参照して説明する。
図１は、本発明の第１の実施例としての内視鏡装置１を示す説明図である。
内視鏡装置１は、検査を行うための本体２と、この本体２を収納するケース（装置本体部）３とを備えており、これら本体２とケース３とがユニバーサルコード（連結ケーブル）１３を介して連結されて構成されている。
【００１３】
ケース３は、箱型の収納部６と蓋部７とが互いに開閉可能に連結されて構成されている。収納部６には、本体２を収納するための収納凹部９が形成されており、この収納凹部９の近傍には、ユニバーサルコード１３を介して本体２と連結される固定ユニット部１０が設けられている。
固定ユニット部１０には、コネクタ１２が設けられており、このコネクタ１２にユニバーサルコード１３の一端が着脱可能かつ回転可能に連結されている。また、固定ユニット部１０には、電源コード１５が設けられており、この電源コード１５の先端に設けられたプラグ１６をコンセントなどに差し込むことにより、固定ユニット部１０に内蔵された不図示の光源装置などに電源が供給されるようになっている。さらに、固定ユニット部１０は、後述する挿入部（内視鏡挿入部）１９を湾曲させるためのモータユニット（駆動部）２０を備えている。
【００１４】
また、本体２は、管状に延びる挿入部１９と、この挿入部１９を支持する内視鏡本体部２２とを備えている。
挿入部１９は、その先端部に設けられたヘッド部２４と、ヘッド部２４の先端面を所望の観察方向に向けるための湾曲部２５と、湾曲部２５に連接する柔軟で長尺な可撓部２６とを備えている。湾曲部２５には、モータユニット２０に連結された不図示のワイヤが設けられており、モータユニット２０を駆動して、所定のワイヤを動作させることにより、湾曲部２５が湾曲して、ヘッド部２４の先端面が所望の方向に向けられるようになっている。
【００１５】
また、挿入部１９の内部には、図２に示すように、照明用の照明挿通路２９と、観察用の観察挿通路３０と、不図示の処置具を通すための処置具挿通路３１とが形成されている。照明挿通路２９の中には、照明光を伝送するための不図示のライトガイドが設けられており、照明挿通路２９の先端には、ライトガイドに案内された照明光を集光して照射するための照明光学系３４が設けられている。また、観察挿通路３０の中には、図５に示す観察用ケーブル５２が設けられており、観察挿通路３０の先端部には、被検体からの反射光を取り込む観察光学系３５と、この観察光学系３５によって取り込まれた反射光を光電変換して、観察用ケーブル５２を介して撮像信号として出力するＣＣＤ（撮像手段）３６とが設けられている。
【００１６】
また、内視鏡本体部２２は、図３に示すように、棒状に延びる把持部３９を備えており、把持部３９の長さ方向の一端には、後述するように、ユニバーサルコード１３の他端が連結されている。また、把持部３９の他端には、観察画像を映し出すモニタ４１が設けられており、把持部３９の他端部であって、モニタ４１の基端部近傍には、本体２の各種操作を行う操作部４２が設けられている。操作部４２には、湾曲部２５を湾曲操作するためのジョイスティック４４が設けられており、このジョイスティック４４の近傍には、本体２への電源供給のオンオフを切り替えるパワーボタン４５が設けられている。また、操作部４２は、図４に示すように、操作用ケーブル５４を介してジョイスティック４４に電気的に接続された操作信号処理部５５を有する電動アングル基板５１を備えている。
また、内視鏡本体部２２内には、観察用ケーブル５２を介してモニタ４１に電気的に接続されたＣＣＵ（信号処理部）５０を有するＣＣＵ基板５３が設けられている。
【００１７】
さらに、把持部３９の他端部であって、モニタ４１の裏面側には、挿入用開口部４７が形成されており、この挿入用開口部４７には中空部を有するテーパ状の折れ止め部４８が設けられている。そして、これら折れ止め部４８および挿入用開口部４７を介して、把持部３９内に可撓部２６が挿入されている。また、把持部３９の一端部には、ケーブル用開口部５６が形成されており、このケーブル用開口部５６を介して、把持部３９内にユニバーサルコード１３が挿入されている。
【００１８】
さらに、本実施例における内視鏡本体部２２は、円筒状に延びる連結コネクタ（挿入部側連結部、ケーブル側連結部）５９を備えている。この連結コネクタ５９は、その一端が、把持部３９の一端部の内面に形成された円形の取付凹部６０に嵌め込まれることにより、連結コネクタ５９の長さ方向に延びる軸線を中心として回転可能に支持されている。そして、連結コネクタ５９の一端には、ケーブル用開口部５６を介して把持部３９内に挿入されたユニバーサルコード１３が取り付けられている。一方、連結コネクタ５９の他端には、折れ止め部４８および挿入用開口部４７を介して把持部３９内に挿入された可撓部２６が取り付けられている。
【００１９】
そして連結コネクタ５９が把持部３９内で回転することにより、挿入部１９と内視鏡本体部２２とが互いに相対回転可能に連結され、さらに、ユニバーサルコード１３と内視鏡本体部２２とが互いに相対回転可能に連結されている。すなわち、連結コネクタ５９は、挿入部側連結部およびケーブル側連結部として機能するものであり、これら両者が兼用されたものである。
【００２０】
また、連結コネクタ５９の外周面（挿入部側連結部の円周面、ケーブル側連結部の円周面）６２には、図５に示すように、その一端側にリング状の挿入部側リング端子６４が設けられ、他端側にケーブル側リング端子６５が設けられている。これら挿入部側リング端子６４およびケーブル側リング端子６５は、金属により形成されており、それぞれの内周壁面には、それら径方向内方に向けられた突起部６４ａ，６５ａが設けられている。そして、それら突起部６４ａ，６５ａが連結コネクタ５９に形成された貫通孔６７に嵌め込まれることにより、挿入部側リング端子６４およびケーブル側リング端子６５が連結コネクタ５９に固定されている。
【００２１】
また、ユニバーサルコード１３から延びる操作用ケーブル５４と突起部６５ａとが、連結コネクタ５９内において電気的に接続されており、挿入部１９から延びる観察用ケーブル５２と突起部６４ａとが、連結コネクタ５９内において電気的に接続されている。
さらに、挿入部側リング端子６４およびケーブル側リング端子６５の外周壁面には、図６に示すように、金属により形成された板状に延びる挿入部側当接端子７０およびケーブル側当接端子７１がそれぞれ当接されている。挿入部側当接端子７０およびケーブル側当接端子７１は、弓なりに反らされて弾性変形された状態になっており、それら弾性力によって、挿入部側リング端子６４およびケーブル側リング端子６５の径方向内方に向けて付勢された状態になっている。
【００２２】
さらに、挿入部側リング端子６４およびケーブル側リング端子６５は、それぞれ図４に示す挿入用ベース部材７４およびケーブル用ベース部材７５と一体成形されている。挿入用ベース部材７４は、観察用ケーブル５２を介してＣＣＵ基板５３上のＣＣＵ５０に電気的に接続されており、ケーブル用ベース部材７５は、操作用ケーブル５４を介して電動アングル基板５１上の操作信号処理部５５に電気的に接続されている。
【００２３】
次に、このように構成された本実施例における内視鏡装置１の作用について説明する。
なお、最初は本体２がケース３に収納されているものとする。
まず、蓋部７を開けて本体２を取り出す。そして、プラグ１６をコンセントに差し込み、把持部３９を把持した状態で、親指等でパワーボタン４５をオンにする。これによって、本体２に電源が供給される。さらに、プラグ１６をコンセントに差し込むと、ケース３に内蔵された光源装置から照明光が出射されて、その照明光がユニバーサルコード１３内のライトガイドを通り、連結コネクタ５９を介して、挿入部１９内のライトガイドに伝送される。そして、照明光学系３４によって集光されて、ヘッド部２４の先端面から、照明光が出射される。
【００２４】
それから挿入部１９を被検体内に挿入する。すると、被検体内からの反射光が、観察光学系３５を透過することによって、ＣＣＤ３６上に結像する。ＣＣＤ３６は、それら光を光電変換によって、撮像信号として出力する。この撮像信号は、挿入部１９内の観察用ケーブル５２によって伝送され、さらに図５に示す突起部６４ａを介して、挿入部側リング端子６４の外周壁面に送られる。外周壁面には図４に示す挿入部側当接端子７０が当接されているため、その撮像信号は、挿入部側当接端子７０に伝わり、挿入用ベース部材７４および観察用ケーブル５２を介して、ＣＣＵ５０に伝送される。このＣＣＵ５０において、上記撮像信号が処理されて、映像信号として出力される。そして、この映像信号が、観察用ケーブル５２を介して、モニタ４１に送られて、モニタ４１に観察画像が映し出される。
【００２５】
また、モニタ４１の観察画像を観ながら、所望の方向の観察画像を見る場合には、把持部３９を把持した状態で、親指等でジョイスティック４４を操作する。すると、ジョイスティック４４から操作信号が出力されて、この操作信号が操作用ケーブル５４を介して操作信号処理部５５に伝送される。この操作信号処理部５５において、上記操作信号が処理されて、操作用ケーブル５４およびケーブル用ベース部材７５を介して、ケーブル側当接端子７１に送られる。そして、その操作信号は、ケーブル側当接端子７１から、図５に示すケーブル側リング端子６５に送られて、ユニバーサルコード１３内に設けられた操作用ケーブル５４を介して、図１に示すモータユニット２０に入力される。すると、入力された操作信号に応じて、モータユニット２０が駆動させられて、所定のワイヤを作動させることにより、湾曲部２５が所望の方向に湾曲する。これにより、ヘッド部２４の先端面が、所望の方向に向けられて、その方向の観察画像がモニタ４１に映し出される。
【００２６】
これら観察画像を観ながら、被検体の検査が行われ、一連の検査が終わると、パワーボタン４５をオフにして、本体２および電源コード１５を収納凹部９内に収納し、蓋部７を閉じることにより、本体２がケース３に収納される。そして、検査結果に応じて所定の処置が行われる。
【００２７】
ここで、検査中にモニタ４１に映し出される観察画像の観察角度を変更したい場合などに、挿入部１９を、被検体に挿入したまま軸線を中心にして回転させることがある。挿入部１９を回転させると、挿入部１９にねじれが生じてしまうが、本実施例における内視鏡装置１においては、以下のようにして、ねじれの発生が防止される。
すなわち、挿入部１９を回転させると、その回転力が挿入部１９の端部にまで伝わって、図４に示す連結コネクタ５９が同方向に回転する。このとき、連結コネクタ５９の外周面６２には挿入部側リング端子６４が固定されていることから、その挿入部側リング端子６４も回転する。そして、挿入部側リング端子６４の外周壁面には、挿入部側当接端子７０が付勢されて当接されていることから、挿入部側リング端子６４は、挿入部側当接端子７０に常に接触した状態になる。すなわち、挿入部１９の回転角度にかかわらず、挿入部側リング端子６４と挿入部側当接端子７０との導通状態が常に維持される。
【００２８】
さらに、ユニバーサルコード１３についても、ねじれによってユニバーサルコード１３自体が検査中に邪魔になったりするが、上記と同様に、連結コネクタ５９が回転することによって、ユニバーサルコード１３のねじれが解消される。そして、ユニバーサルコード１３が回転しても、ケーブル側リング端子６５は、ケーブル側当接端子７１に常に接触した状態になる。すなわち、ユニバーサルコード１３の回転角度にかかわらず、ケーブル側リング端子６５とケーブル側当接端子７１との導通状態が常に維持される。
【００２９】
以上より、本実施例における内視鏡装置１によれば、挿入部１９を回転させても、連結コネクタ５９が同方向に回転することによって、挿入部１９のねじれを直ちに解消することができるだけでなく、その連結部分の導通状態を維持することができる。そのため、観察画像を観ながら挿入部１９を大きく回転させることができ、本体２の操作性を向上させることができる。そして、利便性を向上させることにより、迅速かつ容易な検査を実現することができる。特に、本実施例における内視鏡本体部２２のように、把持部３９に操作部４２やモニタ４１が設けられている場合、本体２の姿勢角度を変えると、ジョイスティック４４による操作が困難になったり、モニタ４１の観察画像が見え難くなったりするが、本実施例における内視鏡装置１によれば、把持した状態の本体２の姿勢を維持したまま、挿入部１９を大きく回転させることができるため、より一層操作性を向上させることができる。
【００３０】
また、挿入部１９のねじれが直ちに解消されるため、挿入部１９の耐久性を向上させることができ、その健全性を長期にわたって維持することができる。
さらに、挿入部側当接端子７０が、挿入部側リング端子６４の径方向内方に付勢されていることから、それら挿入部側当接端子７０と挿入部側リング端子６４との接触状態を確実に維持することができる。また、挿入部側リング端子６４の弾性力を利用していることから、部品点数を増やすことなく、簡易な構成により確実に挿入部側リング端子６４を付勢することができる。
【００３１】
また、連結コネクタ５９を回転させることにより、ユニバーサルコード１３のねじれも直ちに解消することができるだけでなく、その連結部分の導通状態を維持することができる。そのため、ねじれたユニバーサルコード１３によって検査が邪魔されることなく、本体２を無理のない姿勢で保持することができ、操作性を一層向上させることができる。また、ユニバーサルコード１３の耐久性を向上させることができる。
さらに、連結コネクタ５９を、挿入部側連結部およびケーブル側連結部として兼用させていることから、構成を簡易にすることができ、コストを削減することができる。
【００３２】
なお、本実施例においては、連結コネクタ５９を一つの円筒状部材としたが、これに限ることはなく、可撓部２６が取り付けられた側の連結コネクタ５９の端部と、ユニバーサルコード１３が取り付けられた側の端部とが、それぞれ独立して回転するように構成してもよい。
また、ユニバーサルコード１３の一端が、コネクタ１２を介して、固定ユニット部１０に回転可能に連結されるとしたが、これに限ることはなく、回転しないように連結してもよい。但し、回転可能に連結した方が、ユニバーサルコード１３のねじれ防止などの観点から好ましいのは言うまでもない。なお、回転可能とするには、本実施例のように、リング端子に当接端子を当接させる構成とすればよい。
【００３３】
（実施例２）
次に、本発明の第２の実施例について説明する。
図７および図８は、本発明の第２の実施例を示したものである。
図７および図８において、図１から図６に記載の構成要素と同一部分については同一符号を付し、その説明を省略する。
この実施例と上記第１の実施例とは基本的構成は同一であり、以下の点において異なるものとなっている。
【００３４】
すなわち、本実施例における内視鏡装置１は、図７に示すように、把持部３９が略直方体形状に形成されており、その把持部３９の天面３９ａのうち、長さ方向の一端にモニタ４１が設けられており、このモニタ４１の近傍にジョイスティック４４が設けられている。また、天面３９ａのうち、長さ方向の中央から他端にわたって、各種操作ボタン７７およびパワーボタン４５が均等間隔を空けて配置されている。
【００３５】
さらに、本実施例においては、図８に示すように、第１の実施例における連結コネクタ５９が、挿入用連結コネクタ（挿入部側連結部）７８とケーブル用連結コネクタ（ケーブル側連結部）７９とに分けられて構成されており、それぞれが別個に設けられている。
挿入用連結コネクタ７８およびケーブル用連結コネクタ７９は、略円筒状に形成されており、それぞれの端部には拡径された鍔部８３が設けられている。そして、把持部３９の両端部にそれぞれ設けられた取付穴８２に、鍔部８３がそれぞれ嵌め込まれることにより、挿入用連結コネクタ７８およびケーブル用連結コネクタ７９が、把持部３９の内部において回転可能に支持されている。なお、挿入用連結コネクタ７８およびケーブル用連結コネクタ７９の一端には、水密のためのＯリング８８が設けられている。
【００３６】
挿入用連結コネクタ７８には、挿入用開口部４７を介して挿入された可撓部２６が取り付けられており、その外周面（挿入部側連結部の円周面）８５には、上記第１実施例と同様にして、挿入部側リング端子６４が固定されている。さらに、挿入部側リング端子６４には、上記第１実施例と同様にして、挿入部側当接端子７０が当接されている。
一方、ケーブル用連結コネクタ７９には、ケーブル用開口部５６を介して挿入されたユニバーサルコード１３が取り付けられており、その外周面（ケーブル側連結部の円周面）８６には、ケーブル側リング端子６５が固定されている。さらに、ケーブル側リング端子６５には、同様にして、ケーブル側当接端子７１が当接されている。
なお、挿入部１９の先端には、不図示のＬＥＤが設けられており、このＬＥＤは、把持部３９内に設けられたＬＥＤ駆動回路によって駆動されて、照明光を出射するようになっている。
【００３７】
このような構成のもと、挿入部１９を回転させると、導通状態が維持されたまま挿入用連結コネクタ７８のみが回転し、挿入部１９のねじれが解消される。一方、ユニバーサルコード１３を回転させると、導通状態が維持されたままケーブル用連結コネクタ７９のみが回転し、ユニバーサルコード１３のねじれが解消される。
【００３８】
以上より、上記第１の実施例と同様の効果を奏することができるだけでなく、挿入部１９およびユニバーサルコード１３のそれぞれのねじれを確実に解消することができ、操作性を一層向上させることができる。
【００３９】
なお、上記第１および第２の実施例においては、各リング端子６４，６５の外周壁面に各当接端子７０，７１を当接させるとしたが、これに限ることはなく、各リング端子６４，６５の側壁に当接させるようにしてもよい。そのとき、各側壁面に直行する方向に各当接端子７０，７１を付勢することにより、両者を確実に接触させることができる。
また、各当接端子７０，７１を付勢するとしたが、これに限ることはなく、必ずしも付勢しなくてもよい。但し、付勢した方がよいのは上述の通りである。
また、各リング端子６４，６５や各当接端子７０，７１の設置数や設置位置は、適宜変更可能である。
なお、本発明の技術範囲は上記の第１および第２の実施例に限定されるものではなく、本発明の趣旨を逸脱しない範囲において、種々の変更を加えることが可能である。
【図面の簡単な説明】
【００４０】
【図１】本発明に係る内視鏡装置の第１の実施例を示しており、本体をケースから取り出して、手で把持している様子を示す説明図である。
【図２】挿入部の先端面を示す説明図である。
【図３】図１の内視鏡装置の本体を拡大して示す斜視図である。
【図４】図３の本体を示す側断面図である。
【図５】図４の連結コネクタを拡大して示す縦断面図である。
【図６】図４の各リング端子に各当接端子が当接された様子を示す斜視図である。
【図７】本発明に係る内視鏡装置の第２の実施例における本体を示す斜視図である。
【図８】図７の本体を示す側断面図である。
【符号の説明】
【００４１】
１    内視鏡装置
３    ケース（装置本体部）
１３  ユニバーサルコード（連結ケーブル）
１９  挿入部（内視鏡挿入部）
２０  モータユニット（駆動部）
２２  内視鏡本体部
３６  ＣＣＤ（撮像手段）
４２  操作部
５０  ＣＣＵ（信号処理部）
５９  連結コネクタ（挿入部側連結部、ケーブル側連結部）
６２  外周面（挿入部側連結部の円周面、ケーブル側連結部の円周面）
６４  挿入部側リング端子
６５  ケーブル側リング端子
７０  挿入部側当接端子
７１  ケーブル側当接端子
７８  挿入用連結コネクタ（挿入部側連結部）
７９  ケーブル用連結コネクタ（ケーブル側連結部）
８５  外周面（挿入部側連結部の円周面）
８６  外周面（ケーブル側連結部の円周面）
【図１】
2006204582.tif 000003
【図２】
2006204582.tif 000004
【図３】
2006204582.tif 000005
【図４】
2006204582.tif 000006
【図５】
2006204582.tif 000007
【図６】
2006204582.tif 000008
【図７】
2006204582.tif 000009
【図８】
2006204582.tif 000010